(57)【要約】【課題】従来、磁石の付いた専用ケースに巻筒体を移し替えたり、ラップフィルム収納箱を保持具で固定したりすることにより、ラップフィルムを冷蔵庫の壁面等に取り付けていたが、それぞれ既製のラップフィルム収納箱を使えない、任意の場所に設置できない等のデメリットがあった。本発明は、ラップフィルム収納箱に挿入するだけで、手間無くこれらの課題を解決することを目的とする。【解決手段】本発明は、ラップフィルム収納箱の後板の内側面と同じ大きさ、もしくは後板の内側面よりも小さい略長方形状、或いは当該長方形状の一部を切り抜いた形状の、磁力を帯びた薄い板からなる。必要に応じて、当該磁着板の辺縁部の一部または全部から巻筒体側に対して突起した転倒防止の爪部や、磁着板の周囲ないし爪部の一部または全部に緩衝部を設ける。【選択図】図３
2016132505.tif 000002
【特許請求の範囲】
【請求項１】
ラップフィルム収納箱の後板の内側面と同じ大きさ、もしくはそれよりも小さい略長方形状、或いは当該長方形状の一部を切り取った形状の薄い板で、未使用のラップフィルム収納箱の全重量を、間に後板を挟んで支え、冷蔵庫の壁面等に磁着できるだけの磁力を、当該板の後板に面する側の一面全体または一部に帯びたラップ磁着具。
【請求項２】
磁着板の磁着面を後板の内側面に接した状態で立て、かつ、当該磁着板が巻筒体の上に倒れ込む、或いは巻筒体の下に滑り込むのを防止するため、当該磁着板の辺縁部の一部または全部から、巻筒体側に対し突起した爪部を設けた請求項１記載のラップ磁着具。
【請求項３】
磁着板の磁着面を後板の内側面に接した状態で固定させるため、当該磁着板の周囲（や爪部）のラップフィルム収納箱の内側面と接するところの一部または全部に、緩衝部を設けた請求項１記載のラップ磁着具。
【発明の詳細な説明】
【技術分野】
【０００１】  本発明は、市販のラップフィルム収納箱を冷蔵庫の壁面等に直接取り付けるラップ磁着具に関するものである。
【背景技術】
【０００２】  ラップフィルム収納箱は台所のすぐ手に届くところにあるのが便利だが、キッチン台の上に置いておくのは邪魔になる。そこで、冷蔵庫の壁面等に磁着させるケースにラップフィルムを巻回した巻筒体を移し替えて使う方式（特許文献１参照）や、冷蔵庫の壁面等に磁着させたホルダーにラップフィルム収納箱を保持する方式（特許文献２、３参照）、さらにはラップフィルム収納箱の後板に入れた切れ込みにラバー磁石を保持させて冷蔵庫の壁面等に磁着させる方式（特許文献４参照）が考案されている。
【先行技術文献】
【特許文献】
【０００３】
【特許文献１】特許公開平１１−９１７９５
【特許文献２】特許公開２０００−１４２７０７
【特許文献３】実用新案公開平５−６２４２７
【特許文献４】実用新案公開平７−４３２４
【発明の概要】
【発明が解決しようとする課題】
【０００４】  ラップフィルムを冷蔵庫の壁面等に取り付けるため、特許文献１では専用のケースに巻筒体を移し替える、特許文献２や３ではラップフィルム収納箱を専用の保持具で固定する、特許文献４ではラップフィルム収納箱の後板に切れ込みを入れラバー磁石を差し込む、という方法が考案されている。
しかし、特許文献１の場合は、専用のケースに巻筒体を移し替える手間が生じることや、既製のラップフィルム収納箱を使えない欠点がある。特許文献２や３の場合は、ラップフィルム収納箱を戻す場所が保持具を設定した場所に限定されることや、ラップフィルム収納箱を縦に設置できないこと、ラップフィルム収納箱が保持具から落下する可能性があることがデメリットである。特許文献４の場合は、ラップフィルム収納箱に切れ込みを入れ、ラバー磁石を差し込むことは容易ではない。
本発明は以上の問題点を解決するものである。
【課題を解決するための手段】
【０００５】  ラップフィルム収納箱の後板の内側面と同じ大きさ、もしくは後板の内側面よりも小さい略長方形状、或いは当該長方形状の一部を切り取った形状の薄い板からなり、当該板はその一面全体または一部に、未使用のラップフィルム収納箱の全重量を、間に後板を挟んで支え、冷蔵庫の壁面等に磁着できるだけの磁力を帯びている。
また、磁着板の磁着面を後板の内側面に接した状態で立て、かつ、当該磁着板が巻筒体の上に倒れ込む、或いは巻筒体の下に滑り込むのを防止するため、必要に応じて当該磁着板の辺縁部の一部または全部から、巻筒体側に対し爪部（突起、出っ張り）を設ける。
さらに、磁着板の磁着面を後板の内側面に接した状態で固定させるため、必要に応じて当該磁着板の周囲や爪部のラップフィルム収納箱の内側面と接するところの一部または全部に緩衝材を付す。
以上の構成よりなるラップ磁着具。
【発明の効果】
【０００６】  市販のラップフィルム収納箱の後板と、ラップフィルムが巻回された巻筒体との隙間に本ラップ磁着具を挿入するだけで、ラップフィルム収納箱をそのまま冷蔵庫の壁面等の任意の場所に磁着させることが可能となる。また、本ラップ磁着具は、使用済みのラップフィルム収納箱から新しいラップフィルム収納箱に移し替えることにより、半永久的に使用できる。
【図面の簡単な説明】
【０００７】
【図１】板材の一面にマグネットシートを貼った場合の磁着板（磁着面から見た立体図）
【図２】板材の一部に強力磁石を取り付けた場合の磁着板の一例（磁着面の平面図）
【図３】磁着板の上下辺縁部に爪部、左右側面に緩衝部を設けた場合のラップ磁着具の、磁着面の反対側から見た全体図
【図４】磁着板の左右辺縁部に爪部及び緩衝部を設けた場合のラップ磁着具の、磁着面の反対側から見た全体図
【図５】ラップフィルム収納箱にラップ磁着具を挿入する際の斜視図
【図６】磁着板の上下辺縁部に爪部を設けた場合のラップ磁着具の使用時の断面図
【発明を実施するための形態】
【０００８】  以下、本発明の実施の形態を説明する。
本ラップ磁着具（１）は、磁着板（２）を必須とし、磁着板（２）をラップフィルム収納箱（５）の後板（６）の内側面に接した状態で安定させるため、必要に応じて爪部（３）や緩衝部（４）を設ける。
磁着板（２）は、縦・横の長さがラップフィルム収納箱（５）の後板（６）の内側面と同じ大きさ（例：３０ｃｍ幅のラップフィルムの場合は縦４ｃｍ×横３１ｃｍ）の略長方形状が望ましい。なぜならば、磁着板（２）が後板（６）に接した状態においては、底板（７）、左右脇板（８）、閉じた状態の蓋板（９）が磁着板（２）の周囲を四方から挟み込んだ状態となり、磁着板（２）をラップフィルム収納箱（５）内部で動きにくくするからである。
また、磁着板（２）は、万一磁着板（２）が巻筒体（１１）の上に倒れ込んでも、ラップフィルム（１０）の引き出し時にラップフィルム（１０）が巻回された巻筒体（１１）の回転を制限しないように摩擦の軽減を図る目的や、軽量化、デザイン等の観点から、先述した長方形状の一部を切り取り、略ロの字状、略エの字状、略コの字状、略Ｘ字状等の形状とすることも可能である。
なお、仮に磁着板（２）は、ラップフィルム収納箱（５）の内部で固定されていなくても磁着できないわけではないため、磁着板（２）の大きさは、後板（６）の内側面よりも小さな略長方形状、またはその一部を切り取った形状でも可である。
【０００９】  磁着板（２）は薄い板状であり、その厚さは、未使用のラップフィルム収納箱（５）の内部における後板（６）とラップフィルム（１０）が巻回された巻筒体（１１）との隙間よりも薄く、かつ、ラップフィルム（１０）を引き出す時に巻筒体（１１）の回転を妨害しないだけの余裕を有した薄さでなければならない。一方、磁着板（２）の幅が薄すぎると折れたり曲がったりするため、一定の厚さや強度も必要である。
【００１０】  ラップ磁着具（１）の磁力について説明する。まず、磁着板（２）は、磁気を帯びていない素材でできた板材の片面にマグネットシート（１２）を貼ることにより板の一面全体に磁気を帯びた構造（図１参照）、または板材の片面の一部に強力磁石（１３）を取り付けた構造である（図２参照）。
次に、ラップ磁着具（１）は、未使用のラップフィルム収納箱（５）の全重量を、間に後板（６）を挟んで冷蔵庫の壁面等に磁着し、固定するに十分な磁力を有していなければならない。製造会社の違いによる後板（６）の厚さの違いや、製造会社によっては後板（６）に凹凸を設けていることもあるため、これらも勘案して必要な磁力を見積もる必要がある。
なお、アクリル板に強力磁石テープ「Ｎｅｏ  Ｔａｐｅ  Ａ  ５×５２×１．２」を２個貼り付けると「ラップフィルム１５ｃｍ×５０ｍ」を、４個張り付けると「ラップフィルム３０ｃｍ×５０ｍ」を、それぞれ冷蔵庫等の壁面に磁着できることを実験で確認している。
【００１１】  磁着板（２）の磁着面を後板（６）の内側面に接した状態で立て、かつ、当該磁着板（２）が巻筒体（１１）の上に倒れ込む、或いは下に滑り込むのを防ぐため、必要に応じて磁着板（２）をラップフィルム収納箱（５）の後板（６）と巻筒体（１１）との隙間に挿入し後板（６）に接するようにした状態における巻筒体（１１）側、すなわち磁着面と反対側の上下、或いは左右の辺縁部、或いは全周に亘る辺縁部、もしくは四隅に爪部（３）を設ける（図３および図４に例示）。爪部（３）は、磁着板（２）の周囲から磁着面と反対側の面に対して直角に突起しており、磁着板（２）が後板（６）に接した状態の時に、底板（７）及び閉じた状態の蓋板（９）、或いは左右脇板（８）の内側面に面で接する構造、もしくは底板（７）、左右脇板（８）、閉じた状態の蓋板（９）の内側境界線に線または点で接する構造である。
また、磁着板（２）の磁着面から爪部（３）の先までの長さ、つまりラップ磁着具（１）における最大の幅は、未使用のラップフィルム収納箱（５）から巻筒体（１１）を取り出さなくてもラップ磁着具（１）を挿入できる範囲内であることが望ましい。
【００１２】  磁着板（２）がラップフィルム収納箱（５）の内部で後板（６）に接した状態での固定度を高めるため、必要に応じて磁着板（２）の周囲の一部または全部（例えば左右脇板（８）と接する側面部分）に、緩衝材による緩衝部（４）を設ける。爪部（３）を設ける場合は、爪部（３）の、底板（７）、左右脇板（８）、閉じた状態の蓋板（９）の内側面に接する面の一部、または全部に緩衝部（４）を設けてもよい。
緩衝部（４）は、磁着板（２）の後板（６）への密着度を妨げることがないように、磁着板（２）の磁着面よりも外側にはみ出さない。
本発明は以上のような構造である。
【００１３】  本発明を使用する時は、ラップフィルム収納箱（５）の内部のラップフィルム（１０）が巻回された巻筒体（１１）と、ラップフィルム収納箱（５）の後板（６）との隙間に挿入する。ラップフィルム収納箱（５）の後板（６）の外面を冷蔵庫の壁面等に接近させると、本ラップ磁着具（１）が磁力で後板（６）を挟んで冷蔵庫の壁面等に磁着し、ラップフィルム収納箱（５）を当該位置に固定させ、ラップフィルム収納箱（５）の全重量を支える。
ラップフィルム（１０）を使い切った時は、本ラップ磁着具（１）をラップフィルム収納箱（５）から取り出し、新しいラップフィルム収納箱（５’）に挿入することで、半永久的に使用できる。
なお、本ラップ磁着具（１）の用途は、ラップフィルムにとどまらず、アルミホイルやクッキングシート等の収納箱においても、応用が可能である。
【符号の説明】
【００１４】１  ラップ磁着具、  ２  磁着板、  ３  爪部、  ４  緩衝部、
５  ラップフィルム収納箱、  ６  後板、  ７  底板、  ８  脇板、
９  蓋板、  １０  ラップフィルム、  １１  巻筒体、
１２  マグネットシート、  １３  強力磁石
【図１】
2016132505.tif 000003
【図２】
2016132505.tif 000004
【図３】
2016132505.tif 000005
【図４】
2016132505.tif 000006
【図５】
2016132505.tif 000007
【図６】
2016132505.tif 000008